(57)【要約】【課題】水平力に対して高い耐力性能を発揮することができ、しかも、それをコスト的に有利に実現することができる、耐力壁パネルを提供する。【解決手段】上下方向に延びるリブ５…と平板部６…とが左右方向に交互に繰り返す波形鋼板３を膜式耐力要素として備えている。波形鋼板３のリブ突出側の面部に、コンクリート部８が各リブ５…を埋込み状態とするように備えられているとよい。また、波形鋼板３のリブ突出側とは反対側の面部に、透湿性を有する断熱材４が備えられ、リブ５…内の空隙７…が上下方向に延びる放湿用の通気部になっている。【選択図】      図１
2006200277.tif 000002
【特許請求の範囲】
【請求項１】
上下方向に延びるリブと平板部とが左右方向に交互に繰り返す波形鋼板を膜式耐力要素として備えていることを特徴とする耐力壁パネル。
【請求項２】
前記波形鋼板のリブ突出側の面部に、コンクリート部が各リブを埋込み状態とするように備えられている請求項１に記載の耐力壁パネル。
【請求項３】
前記波形鋼板の各リブがその基端側を細くしてコンクリート中に埋込み状態にされている請求項２に記載の耐力壁パネル。
【請求項４】
波形鋼板のリブ突出側とは反対側の面部に、透湿性を有する断熱材が備えられ、リブ内の空隙が上下方向に延びる放湿用の通気部になっている請求項１乃至３のいずれか一に記載の耐力壁パネル。
【発明の詳細な説明】
【技術分野】
【０００１】
本発明は、耐力壁パネルに関する。
【背景技術】
【０００２】
耐力壁パネルとして筋交い式のブレースを用いたものは、従来より提供されているが、筋交い式のブレースでは、パネル一つ当たりの耐力アップに限界があり、建物の耐震性能を高めるうえで、プランニングに難しさを生じさせやすい。
【発明の開示】
【発明が解決しようとする課題】
【０００３】
本発明は、上記のような問題点に鑑み、水平力に対して高い耐力性能を発揮することができ、しかも、それをコスト的に有利に実現することができる、耐力壁パネルを提供することを課題とする。
【課題を解決するための手段】
【０００４】
上記の課題は、上下方向に延びるリブと平板部とが左右方向に交互に繰り返す波形鋼板を膜式耐力要素として備えていることを特徴とする耐力壁パネルによって解決される。
【０００５】
この耐力壁パネルでは、リブ間の各平板部が左右のリブに面外変形を拘束された単位膜部となり、これら各単位膜部の面剛性によって水平力に抵抗し、高い耐力性能を発揮することができる。
【０００６】
しかも、平板部とリブを波形鋼板によって形成しているので、上記のような高い耐力性能を発揮することができる耐力壁パネルをコスト的に有利に製作することができる。
【０００７】
上記の耐力壁パネルにおいて、波形鋼板のリブ突出側の面部に、コンクリート部が各リブを埋込み状態とするように備えられている場合は、各リブがコンクリート部によって補剛され、水平力に対する各平板部の面剛性による抵抗力を高くすることができて、耐力性能を高めることができる。
【０００８】
特に、波形鋼板の各リブがその基端側を細くしてコンクリート中に埋込み状態にされている場合は、コンクリート部による各リブの補剛をしっかりとしたものにすることができ、また、コンクリート部と波形鋼板とを、リブとコンクリートとの係合作用で容易に結合することができる。
【０００９】
また、上記の耐力壁パネルにおいて、波形鋼板のリブ突出側とは反対側の面部に、透湿性を有する断熱材が備えられ、リブ内の空隙が上下方向に延びる放湿用の通気部になっている場合は、上記の膜式耐力要素との組み合わせにおいて、簡素な構造により結露の発生を防ぐことができる。
【発明の効果】
【００１０】
本発明は、以上のとおりのものであるから、水平力に対して高い耐力性能を発揮することができ、しかも、それをコスト的に有利に実現することができる。
【発明を実施するための最良の形態】
【００１１】
次に、本発明の実施最良形態を図面に基づいて説明する。
【００１２】
図１及び図２に示す実施形態の耐力壁パネル１は、外壁パネルとして用いられるもので、該耐力壁パネル１は、溝形の鋼製枠で方形環状に組まれたパネルフレーム２の屋外側の面部に膜式耐力要素３が取り付けられると共に、パネルフレーム２内に膜式耐力要素３と隣接するようにしてロックウール等からなる透湿性の断熱材４が設けられたものである。
【００１３】
膜式耐力要素３は、上下方向に延びるリブ５と平板部６とが左右方向に交互に繰り返す波形鋼板からなっていて、リブ５…の突出する側の面部を屋外側に向けるようにして備えられ、リブ５…内の上下方向に延びる空隙７…が、断熱材４の側からの湿気を放湿するための通気部として機能するようになされている。
【００１４】
そして、上記の波形鋼板３において、リブ５…の突出する側の面部、即ち屋外側の面部には、コンクリート部８が、各リブ５…を埋込み状態にするようにして備えられると共に、波形鋼板３の各リブ５…はその基端側が細くされていて、波形鋼板３とコンクリート部８とがしっかりと結合されるようになされており、波形鋼板３とコンクリート部とによる合成版９が形成されて耐力壁パネル１がコンクリート系の外壁パネルに形成されている。
【００１５】
なお、コンクリート部８の屋外側の面部は、そのまま屋外に露出させて外壁面を構成するようにしてもよいし、コンクリート部８の屋外側の面部をタイル貼りなどにするようにしてもよい。
【００１６】
上記の耐力壁パネル１では、リブ５…間の各平板部６…が左右のリブ５，５に面外変形を拘束された単位膜部となり、これら各単位膜部６…がそれぞれの面剛性によって水平力に強く抵抗し、高い耐力性能を発揮することができる。
【００１７】
特に、本実施形態では、波形鋼板３においてリブ５…の突出する側の面部には、各リブ５がコンクリート部８内に埋込み状態となるように備えられているので、各リブ５…がコンクリート部８によって補剛され、水平力に対する各平板部６…の面剛性による抵抗力を高くすることができて、耐力性能を高めることができる。
【００１８】
とりわけ本実施形態では、波形鋼板３の各リブ５…がその基端側を細くしてコンクリート部８との結合状態がしっかりと保持されるようになされているので、コンクリート部８による各リブ５…の補剛をしっかりとしたものにすることができる。
【００１９】
そして、上記のような高い耐力性能を発揮するもとになる平板部６…とリブ５…を波形鋼板によって形成しているので、そのような耐力壁パネル１をコスト的に有利に製作することができる。
【００２０】
また、上記の耐力壁パネル１では、膜式耐力要素を鋼製する波形鋼板３の各リブ５…内の空隙７…を、透湿性断熱材４の側からの湿気を放湿するための通気部として機能させるようにしているので、簡素な構造により結露の発生を防ぐことができる。
【００２１】
もちろん、波形鋼板３もコンクリート部８を補強する作用を行い、コンクリート部８のクラックの発生を防ぐことができると共に、コンクリート部８におけるコンクリート使用量を少なくしてコンクリート部８の重量を小さく抑えることも可能となる。
【００２２】
以上に、本発明の実施形態を示したが、本発明はこれに限られるものではなく、発明思想を逸脱しない範囲で各種の変更が可能である。例えば、上記の実施形態では、耐力壁パネルをコンクリート系の外壁パネルに構成した場合を示したが、コンクリート系以外の外壁パネルに構成されていてもよいし、コンクリート部の存在の有無に拘わらず外壁パネル以外の耐力壁パネルとして構成されていてもよい。
【図面の簡単な説明】
【００２３】
【図１】実施形態の耐力壁パネルを示すもので、図（イ）は断面平面図、図（ロ）は断面斜視図である。
【図２】図（イ）は波形鋼板とコンクリート部との合成版を示す斜視図、図（ロ）は外壁パネルにおいて断熱材を分離させた状態の断面平面図である。
【符号の説明】
【００２４】
１…外壁パネル（耐力壁パネル）
３…波形鋼板（膜式耐力要素）
４…透湿性断熱材
５…リブ
６…平板部（単位膜部）
７…空隙
８…コンクリート部
【図１】
2006200277.tif 000003
【図２】
2006200277.tif 000004